(57)【要約】【課題】内部での結露の発生が抑制された自動販売機を提供する。【解決手段】自動販売機１０は、前面側から取り出される食品が載るトレイ部３０２と、少なくとも前面側及び下面側を除いてトレイ部３０２を覆うケース部３０４と、トレイ部３０２及びケース部３０４の前面側に設けられた扉１２と、を備える。トレイ部３０２は、板状の部材であり、ケース部３０４の内側両側面にそれぞれ前後方向に延びる溝３０６が形成されており、トレイ部３０２の両側端部が、それぞれ溝３０６に前面側から挿入される。【選択図】図４
2020067839.tif 000002
【特許請求の範囲】
【請求項１】
前面側から取り出される食品が載るトレイ部と、
少なくとも前記前面側及び下面側を除いて前記トレイ部を覆うケース部と、
前記トレイ部及び前記ケース部の前面側に設けられた扉と、を備えた自動販売機。
【請求項２】
請求項１記載の自動販売機において、
前記トレイ部が、板状の部材であり、
前記ケース部の内側両側面にそれぞれ前後方向に延びる溝が形成されており、
前記トレイ部の両側端部が、それぞれ前記溝に前記前面側から挿入される自動販売機。
【請求項３】
請求項２記載の自動販売機において、
前記トレイ部の前記食品が載る面に突起が形成されている自動販売機。
【請求項４】
請求項３記載の自動販売機において、
前記トレイ部の材質が、金属であり、
前記ケース部の材質が、樹脂であり、
前記扉の材質が、樹脂である自動販売機。
【請求項５】
請求項３記載の自動販売機において、
前記トレイ部の材質が、アルミニウムであり、
前記ケース部の材質が、ポリプロピレン樹脂又はナイロン樹脂であり、
前記扉の材質が、ポリカーボネートである自動販売機。
【請求項６】
フレームと、
前記フレームに支持され食品が収納される収納ボックスと、
前記収納ボックスの前面側に設けられた扉と、を備え、
前記フレームが上下方向に延びる上下フレーム部材と、
前記上下フレーム部材に固定され、前記収納ボックスを支持する支持フレームと、を有し、
前記収納ボックスが、前記食品が載るトレイ部と、
前記トレイ部を覆うケース部と、を有し、
前記トレイ部及び前記ケース部とが、それぞれ着脱可能に設けられている自動販売機。
【請求項７】
請求項６記載の自動販売機において、
前記支持フレームが、前後方向に延びる２つの棒状の支持部材を有し、
前記ケース部が、前記支持部材の上に載る自動販売機。
【発明の詳細な説明】
【技術分野】
【０００１】
本発明は、自動販売機に関する。
【背景技術】
【０００２】
特許文献１には、無菌パックされ、蒸気、加熱空気により加熱、保温されている弁当等の商品を販売する温蔵自動販売機が記載されている。この温蔵自動販売機は、蒸気を発生させる蒸気発生器と、この蒸気により加熱、保温された商品を収納する商品収納棚とが設けられ、断熱材で囲まれた商品収納部と、この商品収納部の外扉側の面に設けられ、前記蒸気の商品収納部外への漏洩を防止する構造に形成された中扉と、この中扉の任意の位置に、商品収納部内から商品収納部外の方向に貫かれたセンサー収納穴と、このセンサー収納穴に取り付けられ、商品配設棚に収納された商品の有無を検知するセンサーと、前記センサー収納穴の商品収納部側の開口部に取り付けられ、前記商品収納部に満たされている蒸気の商品収納部外への漏洩を防止する構造に形成された透明板とを備えたことを特徴としている。
【先行技術文献】
【特許文献】
【０００３】
【特許文献１】特開平９−３０５８４５号公報
【発明の概要】
【発明が解決しようとする課題】
【０００４】
本発明は、内部での結露の発生が抑制された自動販売機を提供することを目的とする。
【課題を解決するための手段】
【０００５】
請求項１に記載の発明は、前面側から取り出される食品が載るトレイ部と、少なくとも前記前面側及び下面側を除いて前記トレイ部を覆うケース部と、前記トレイ部及び前記ケース部の前面側に設けられた扉と、を備えた自動販売機である。
【０００６】
請求項２に記載の発明は、請求項１記載の発明において、前記トレイ部が、板状の部材であり、前記ケース部の内側両側面にそれぞれ前後方向に延びる溝が形成されており、前記トレイ部の両側端部が、それぞれ前記溝に前記前面側から挿入される。
【０００７】
請求項３に記載の発明は、請求項２記載の発明において、前記トレイ部の前記食品が載る面に突起が形成されている。
【０００８】
請求項４に記載の発明は、請求項３記載の発明において、前記トレイ部の材質が、金属であり、前記ケース部の材質が、樹脂であり、  前記扉の材質が、樹脂である。
【０００９】
請求項５に記載の発明は、請求項３記載の発明において、前記トレイ部の材質が、アルミニウムであり、前記ケース部の材質が、ポリプロピレン樹脂又はナイロン樹脂であり、前記扉の材質が、ポリカーボネートである。
【００１０】
請求項６に記載の発明は、フレームと、前記フレームに支持され食品が収納される収納ボックスと、前記収納ボックスの前面側に設けられた扉と、を備え、前記フレームが上下方向に延びる上下フレーム部材と、前記上下フレーム部材に固定され、前記収納ボックスを支持する支持フレームと、を有し、前記収納ボックスが、前記食品が載るトレイ部と、
前記トレイ部を覆うケース部と、を有し、前記トレイ部及び前記ケース部とが、それぞれ着脱可能に設けられている自動販売機である。
【００１１】
請求項７に記載の発明は、請求項６記載の発明において、前記支持フレームが、前後方向に延びる２つの棒状の支持部材を有し、前記ケース部が、前記支持部材の上に載る。
【発明の効果】
【００１２】
本発明によれば、内部での結露の発生が抑制された自動販売機を提供できる。
【図面の簡単な説明】
【００１３】
【図１】本発明の一実施の形態に係る自動販売機の外観図である。
【図２】同自動販売機の内部構造を示す説明図である。
【図３】同自動販売機が備える支持フレームの平面図である。
【図４】同自動販売機が備える収納ボックスの分解図である。
【図５】同自動販売機の内部の冷却構造を示す説明図であって、（Ａ）、（Ｂ）はそれぞれ、側面側から見た断面図及び背面側から見た断面図である。
【図６】（Ａ）、（Ｂ）は、同自動販売機の断熱材として取り付けられる第１〜第３のパネルの配置を示す説明図であって、それぞれ側面側から見た図及び背面側から見た図である。
【図７】（Ａ）〜（Ｃ）はそれぞれ、第３のパネルを示す平面図、正面図及び側面図である。
【発明を実施するための形態】
【００１４】
続いて、添付した図面を参照しつつ、本発明を具体化した実施の形態につき説明し、本発明の理解に供する。なお、図において、説明に関連しない部分は図示を省略する場合がある。
【００１５】
本発明の一実施の形態に係る自動販売機１０は、図１に示すように、複数の扉１２の内側の空間に弁当（食品の一例）１４（図４参照）が冷蔵された状態で保存され、利用者が正面側から見て右側に配置された操作部１６を操作することによって、弁当１４を販売できる。
自動販売機１０は、図２〜図４に示すように、筐体１８（図１参照）を構成する複数のフレーム部２０ａ、２０ｂ、２０ｃ、２０ｄ及び前述の扉１２の内側の空間を形成する複数の収納ボックス３０（図２参照）を備えている。
【００１６】
フレーム部２０ａ、２０ｂ、２０ｃ、２０ｄは、それぞれ左右方向に４つ並べて配置され、互いに固定されている。各フレーム部２０ａ、２０ｂ、２０ｃ、２０ｄは、自動販売機１０の内部を冷気が流れるように、一方向に延びる棒状の部材を組み合わせて形成されている。
各フレーム部２０ａ、２０ｂ、２０ｃ、２０ｄは、主として上下フレーム部材２２、２３及び支持フレーム２４を有している。
【００１７】
上下フレーム部材２２、２３は、上下方向に延びる部材である。
支持フレーム２４は、上下フレーム部材２２、２３に固定され、収納ボックス３０を支持できる。支持フレーム２４は、図３に示すように、棒状の複数の部材２４２、２４４を前後左右方向に組み合わせて形成されている。各部材２４２、２４４のうち、前後方向に延びる２つの棒状の部材（支持部材の一例）２４４は、左右方向に延びる部材２４２の上に固定され、部材２４４の上面の位置が他の部材２４２よりも高くなるように配置されている（図２参照）。
支持フレーム２４は、例えばワイヤーネット（メッシュパネル）である。
【００１８】
収納ボックス３０は、図４に示すように、前面側が開口した箱体であり、弁当１４を収納できる。収納ボックス３０は、扉１２の内側に配置されるとともに支持フレーム２４の部材２４２の上に載る。収納ボックス３０は、前面側に引き出して取り外すことができる。
詳細には、収納ボックス３０は、トレイ部３０２及びケース部３０４を有している。
【００１９】
トレイ部３０２は、弁当１４が載る板状の部材であり、弁当１４が載る面には、突起（不図示）が形成されている。トレイ部３０２の材質は例えばアルミニウム（金属の一例）であり、アルミニウム縞板が好適である。
なお、弁当１４の底面と突起との接触面積は、突起が形成されていない場合の１０分の１以下となるように設定されることが好ましい。
トレイ部３０２に突起が形成されていることにより、トレイ部３０２に発生した結露が弁当１４に移ることが抑制される。
【００２０】
ケース部３０４は、少なくとも前面側及び下面側を除いてトレイ部３０２を覆うことができる。
ケース部３０４の内側両側面にそれぞれ前後方向に延びる溝３０６が形成され、トレイ部３０２の両側端部が、前面側から挿入される。
ケース部３０４の材質は例えば樹脂であり、結露を抑制する観点からポリプロピレン樹脂又はナイロン樹脂であることが好ましい。
ケース部３０４は、図２に示すように、左右両側の下底面が部材２４４の上に載って支持フレーム２４に支持される。
【００２１】
なお、前述の扉１２は、トレイ部３０２及びケース部３０４の前面側に設けられ、回転軸ＡＸ１回りに回転して開閉する開き扉である。
扉１２の材質は例えば樹脂であり、結露を抑制するとともに扉１２の内部の視認性を確保する観点からポリカーボネートであることが好ましい。
【００２２】
次に、自動販売機１０の冷却構造について説明する。
自動販売機１０には、図５（Ａ）に示すように、収納ボックス３０の背面側に配置された仕切り板５０によって、収納ボックス３０の背面側に冷気が流れる内部空間Ｓが形成されている。
自動販売機１０は、図５（Ａ）及び図５（Ｂ）に示すように、この内部空間Ｓを冷気の流路とし、収納ボックス３０を冷却するためのコンデンシングユニット５２、蒸発器５４、ファン５６、及びファン５８を備えている。
【００２３】
コンデンシングユニット５２は、筐体１８の天井の上面に設けられ、図示しない圧縮機や凝縮器によって構成されている。
【００２４】
蒸発器５４は、コンデンシングユニット５２に接続され、コンデンシングユニット５２とともに冷凍サイクルを構成する。蒸発器５４は、上部にある収納ボックス３０の背面側に配置される。
ファン５６は、蒸発器５４に向かって送風することで、冷気を送ることができる。
【００２５】
ファン５８は、それぞれ、ファン５６によって送られた冷気を収納ボックス３０がある前面側に送ることができる。
このように冷気はファン５６及びファン５８によって自動販売機１０の内部を循環し、収納ボックス３０が冷却される。
【００２６】
次に、自動販売機１０の断熱構造について説明する。
自動販売機１０の表面は、断熱性能を向上させるために、図６に示す第１のパネル８１、第２のパネル８２及び第３のパネル８３によって覆われている。
【００２７】
第１のパネル８１は、例えば真空断熱材である。第１のパネル８１は、自動販売機１０の上部の外周面を覆う。
【００２８】
第２のパネル８２は、例えばウレタン系断熱材である。第２のパネル８２は、第１のパネル８１で覆われた領域を除除く両側面の中央部から背面側までの領域及び背面の領域を覆う。
【００２９】
第３のパネル８３は、例えば発泡スチロールである。第３のパネル８３は、断熱のために自動販売機１０の底部に敷かれている。図７（Ａ）〜図７（Ｃ）に示すように、第３のパネル８３は直方体状であり、矢印で示す対角方向に向かうに従って徐々に上面の高さ位置が低くなるように形成され、最も低い位置にドレン８３２が接続されている。従って、第３のパネル８３の上の水滴は、ドレン８３２から排水され、水が貯まることが抑制される。
【００３０】
次に、自動販売機１０の使用方法について説明する。
まず、利用者は、操作部１６（図１参照）を操作し、所定の金額を支払う。
次に、自動販売機１０は、所定の金額が支払われたと判断すると、利用者の操作内容に基づいて、所定の収納ボックス３０の扉１２（図４参照）のロックを解除する。
最後に、ユーザーは解除された扉１２を開け、収納ボックス３０の内部にある弁当１４を取り出す。
【００３１】
ここで、自動販売機１０の管理者は、衛生面から定期的にメンテナンスする必要がある。前述のように、収納ボックス３０は前面側に引き出して取り出せるとともに、トレイ部３０２をケース部３０４から分離できるので、洗浄することが容易である。収納ボックス３０は、図２に示すように、前後方向に延びる支持フレーム２４の２つの部材２４４の上のみに載っているため、摩擦抵抗が小さく、容易に引き出される。
なお、衛生面から第３のパネル８３は予め決められた期間が経過すると定期的に交換される。
【００３２】
以上説明した自動販売機１０は、収納ボックス３０の内部で結露が発生することが抑制されているとともに、万一結露が発生した場合には、結露により生じた水滴が第３のパネル８３に落下しドレン８３２を通って排水される。
【００３３】
以上、本発明の実施の形態を説明したが、本発明は、上記した形態に限定されるものでなく、要旨を逸脱しない条件の変更等は全て本発明の適用範囲である。
前述の実施の形態において、収納ボックス３０の内部に入れられるものは弁当に限定されるものではない。
【符号の説明】
【００３４】
１０  自動販売機
１２  扉
１４  弁当
１６  操作部
１８  筐体
２０ａ  フレーム部
２２、２３  上下フレーム部材
２４  支持フレーム
３０  収納ボックス
５０  仕切り板
５２  コンデンシングユニット
５４  蒸発器
５６  ファン
５８  ファン
８１  第１のパネル
８２  第２のパネル
８３  第３のパネル
２４２、２４４  部材
３０２  トレイ部
３０４  ケース部
３０６  溝
８３２  ドレン
Ｓ  内部空間
【図１】
2020067839.tif 000003
【図２】
2020067839.tif 000004
【図３】
2020067839.tif 000005
【図４】
2020067839.tif 000006
【図５】
2020067839.tif 000007
【図６】
2020067839.tif 000008
【図７】
2020067839.tif 000009
【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
前面側から取り出される食品が載るトレイ部と、
少なくとも前記前面側及び下面側を除いて前記トレイ部を覆うケース部と、
前記トレイ部及び前記ケース部の前面側に設けられた扉と、を備え、
前記トレイ部が、板状の部材であり、
前記ケース部の内側両側面にそれぞれ前後方向に延びる溝が形成されており、
前記トレイ部の両側端部が、それぞれ前記溝に前記前面側から挿入される自動販売機。
【請求項２】
請求項１記載の自動販売機において、
前記トレイ部の前記食品が載る面に突起が形成されている自動販売機。
【請求項３】
請求項２記載の自動販売機において、
前記トレイ部の材質が、金属であり、
前記ケース部の材質が、樹脂であり、
前記扉の材質が、樹脂である自動販売機。
【請求項４】
請求項２記載の自動販売機において、
前記トレイ部の材質が、アルミニウムであり、
前記ケース部の材質が、ポリプロピレン樹脂又はナイロン樹脂であり、
前記扉の材質が、ポリカーボネートである自動販売機。
【手続補正２】
【補正対象書類名】明細書
【補正対象項目名】全文
【補正方法】変更
【補正の内容】
【発明の詳細な説明】
【技術分野】
【０００１】
本発明は、自動販売機に関する。
【背景技術】
【０００２】
特許文献１には、無菌パックされ、蒸気、加熱空気により加熱、保温されている弁当等の商品を販売する温蔵自動販売機が記載されている。この温蔵自動販売機は、蒸気を発生させる蒸気発生器と、この蒸気により加熱、保温された商品を収納する商品収納棚とが設けられ、断熱材で囲まれた商品収納部と、この商品収納部の外扉側の面に設けられ、前記蒸気の商品収納部外への漏洩を防止する構造に形成された中扉と、この中扉の任意の位置に、商品収納部内から商品収納部外の方向に貫かれたセンサー収納穴と、このセンサー収納穴に取り付けられ、商品配設棚に収納された商品の有無を検知するセンサーと、前記センサー収納穴の商品収納部側の開口部に取り付けられ、前記商品収納部に満たされている蒸気の商品収納部外への漏洩を防止する構造に形成された透明板とを備えたことを特徴としている。
【先行技術文献】
【特許文献】
【０００３】
【特許文献１】特開平９−３０５８４５号公報
【発明の概要】
【発明が解決しようとする課題】
【０００４】
本発明は、食品が載るトレイ部の洗浄が容易な自動販売機を提供することを目的とする。
【課題を解決するための手段】
【０００５】
請求項１に記載の発明は、前面側から取り出される食品が載るトレイ部と、少なくとも前記前面側及び下面側を除いて前記トレイ部を覆うケース部と、前記トレイ部及び前記ケース部の前面側に設けられた扉と、を備え、前記トレイ部が、板状の部材であり、前記ケース部の内側両側面にそれぞれ前後方向に延びる溝が形成されており、前記トレイ部の両側端部が、それぞれ前記溝に前記前面側から挿入される自動販売機である。
【０００６】
【０００７】
請求項２に記載の発明は、請求項１記載の発明において、前記トレイ部の前記食品が載る面に突起が形成されている。
【０００８】
請求項３に記載の発明は、請求項２記載の発明において、前記トレイ部の材質が、金属であり、前記ケース部の材質が、樹脂であり、  前記扉の材質が、樹脂である。
【０００９】
請求項４に記載の発明は、請求項２記載の発明において、前記トレイ部の材質が、アルミニウムであり、前記ケース部の材質が、ポリプロピレン樹脂又はナイロン樹脂であり、前記扉の材質が、ポリカーボネートである。
【００１０】
【００１１】
【発明の効果】
【００１２】
本発明によれば、食品が載るトレイ部の洗浄が容易な自動販売機を提供できる。
【図面の簡単な説明】
【００１３】
【図１】本発明の一実施の形態に係る自動販売機の外観図である。
【図２】同自動販売機の内部構造を示す説明図である。
【図３】同自動販売機が備える支持フレームの平面図である。
【図４】同自動販売機が備える収納ボックスの分解図である。
【図５】同自動販売機の内部の冷却構造を示す説明図であって、（Ａ）、（Ｂ）はそれぞれ、側面側から見た断面図及び背面側から見た断面図である。
【図６】（Ａ）、（Ｂ）は、同自動販売機の断熱材として取り付けられる第１〜第３のパネルの配置を示す説明図であって、それぞれ側面側から見た図及び背面側から見た図である。
【図７】（Ａ）〜（Ｃ）はそれぞれ、第３のパネルを示す平面図、正面図及び側面図である。
【発明を実施するための形態】
【００１４】
続いて、添付した図面を参照しつつ、本発明を具体化した実施の形態につき説明し、本発明の理解に供する。なお、図において、説明に関連しない部分は図示を省略する場合がある。
【００１５】
本発明の一実施の形態に係る自動販売機１０は、図１に示すように、複数の扉１２の内側の空間に弁当（食品の一例）１４（図４参照）が冷蔵された状態で保存され、利用者が正面側から見て右側に配置された操作部１６を操作することによって、弁当１４を販売できる。
自動販売機１０は、図２〜図４に示すように、筐体１８（図１参照）を構成する複数のフレーム部２０ａ、２０ｂ、２０ｃ、２０ｄ及び前述の扉１２の内側の空間を形成する複数の収納ボックス３０（図２参照）を備えている。
【００１６】
フレーム部２０ａ、２０ｂ、２０ｃ、２０ｄは、それぞれ左右方向に４つ並べて配置され、互いに固定されている。各フレーム部２０ａ、２０ｂ、２０ｃ、２０ｄは、自動販売機１０の内部を冷気が流れるように、一方向に延びる棒状の部材を組み合わせて形成されている。
各フレーム部２０ａ、２０ｂ、２０ｃ、２０ｄは、主として上下フレーム部材２２、２３及び支持フレーム２４を有している。
【００１７】
上下フレーム部材２２、２３は、上下方向に延びる部材である。
支持フレーム２４は、上下フレーム部材２２、２３に固定され、収納ボックス３０を支持できる。支持フレーム２４は、図３に示すように、棒状の複数の部材２４２、２４４を前後左右方向に組み合わせて形成されている。各部材２４２、２４４のうち、前後方向に延びる２つの棒状の部材（支持部材の一例）２４４は、左右方向に延びる部材２４２の上に固定され、部材２４４の上面の位置が他の部材２４２よりも高くなるように配置されている（図２参照）。
支持フレーム２４は、例えばワイヤーネット（メッシュパネル）である。
【００１８】
収納ボックス３０は、図４に示すように、前面側が開口した箱体であり、弁当１４を収納できる。収納ボックス３０は、扉１２の内側に配置されるとともに支持フレーム２４の部材２４２の上に載る。収納ボックス３０は、前面側に引き出して取り外すことができる。
詳細には、収納ボックス３０は、トレイ部３０２及びケース部３０４を有している。
【００１９】
トレイ部３０２は、弁当１４が載る板状の部材であり、弁当１４が載る面には、突起（不図示）が形成されている。トレイ部３０２の材質は例えばアルミニウム（金属の一例）であり、アルミニウム縞板が好適である。
なお、弁当１４の底面と突起との接触面積は、突起が形成されていない場合の１０分の１以下となるように設定されることが好ましい。
トレイ部３０２に突起が形成されていることにより、トレイ部３０２に発生した結露が弁当１４に移ることが抑制される。
【００２０】
ケース部３０４は、少なくとも前面側及び下面側を除いてトレイ部３０２を覆うことができる。
ケース部３０４の内側両側面にそれぞれ前後方向に延びる溝３０６が形成され、トレイ部３０２の両側端部が、前面側から挿入される。
ケース部３０４の材質は例えば樹脂であり、結露を抑制する観点からポリプロピレン樹脂又はナイロン樹脂であることが好ましい。
ケース部３０４は、図２に示すように、左右両側の下底面が部材２４４の上に載って支持フレーム２４に支持される。
【００２１】
なお、前述の扉１２は、トレイ部３０２及びケース部３０４の前面側に設けられ、回転軸ＡＸ１回りに回転して開閉する開き扉である。
扉１２の材質は例えば樹脂であり、結露を抑制するとともに扉１２の内部の視認性を確保する観点からポリカーボネートであることが好ましい。
【００２２】
次に、自動販売機１０の冷却構造について説明する。
自動販売機１０には、図５（Ａ）に示すように、収納ボックス３０の背面側に配置された仕切り板５０によって、収納ボックス３０の背面側に冷気が流れる内部空間Ｓが形成されている。
自動販売機１０は、図５（Ａ）及び図５（Ｂ）に示すように、この内部空間Ｓを冷気の流路とし、収納ボックス３０を冷却するためのコンデンシングユニット５２、蒸発器５４、ファン５６、及びファン５８を備えている。
【００２３】
コンデンシングユニット５２は、筐体１８の天井の上面に設けられ、図示しない圧縮機や凝縮器によって構成されている。
【００２４】
蒸発器５４は、コンデンシングユニット５２に接続され、コンデンシングユニット５２とともに冷凍サイクルを構成する。蒸発器５４は、上部にある収納ボックス３０の背面側に配置される。
ファン５６は、蒸発器５４に向かって送風することで、冷気を送ることができる。
【００２５】
ファン５８は、それぞれ、ファン５６によって送られた冷気を収納ボックス３０がある前面側に送ることができる。
このように冷気はファン５６及びファン５８によって自動販売機１０の内部を循環し、収納ボックス３０が冷却される。
【００２６】
次に、自動販売機１０の断熱構造について説明する。
自動販売機１０の表面は、断熱性能を向上させるために、図６に示す第１のパネル８１、第２のパネル８２及び第３のパネル８３によって覆われている。
【００２７】
第１のパネル８１は、例えば真空断熱材である。第１のパネル８１は、自動販売機１０の上部の外周面を覆う。
【００２８】
第２のパネル８２は、例えばウレタン系断熱材である。第２のパネル８２は、第１のパネル８１で覆われた領域を除除く両側面の中央部から背面側までの領域及び背面の領域を覆う。
【００２９】
第３のパネル８３は、例えば発泡スチロールである。第３のパネル８３は、断熱のために自動販売機１０の底部に敷かれている。図７（Ａ）〜図７（Ｃ）に示すように、第３のパネル８３は直方体状であり、矢印で示す対角方向に向かうに従って徐々に上面の高さ位置が低くなるように形成され、最も低い位置にドレン８３２が接続されている。従って、第３のパネル８３の上の水滴は、ドレン８３２から排水され、水が貯まることが抑制される。
【００３０】
次に、自動販売機１０の使用方法について説明する。
まず、利用者は、操作部１６（図１参照）を操作し、所定の金額を支払う。
次に、自動販売機１０は、所定の金額が支払われたと判断すると、利用者の操作内容に基づいて、所定の収納ボックス３０の扉１２（図４参照）のロックを解除する。
最後に、ユーザーは解除された扉１２を開け、収納ボックス３０の内部にある弁当１４を取り出す。
【００３１】
ここで、自動販売機１０の管理者は、衛生面から定期的にメンテナンスする必要がある。前述のように、収納ボックス３０は前面側に引き出して取り出せるとともに、トレイ部３０２をケース部３０４から分離できるので、洗浄することが容易である。収納ボックス３０は、図２に示すように、前後方向に延びる支持フレーム２４の２つの部材２４４の上のみに載っているため、摩擦抵抗が小さく、容易に引き出される。
なお、衛生面から第３のパネル８３は予め決められた期間が経過すると定期的に交換される。
【００３２】
以上説明した自動販売機１０は、収納ボックス３０の内部で結露が発生することが抑制されているとともに、万一結露が発生した場合には、結露により生じた水滴が第３のパネル８３に落下しドレン８３２を通って排水される。
【００３３】
以上、本発明の実施の形態を説明したが、本発明は、上記した形態に限定されるものでなく、要旨を逸脱しない条件の変更等は全て本発明の適用範囲である。
前述の実施の形態において、収納ボックス３０の内部に入れられるものは弁当に限定されるものではない。
【符号の説明】
【００３４】
１０  自動販売機
１２  扉
１４  弁当
１６  操作部
１８  筐体
２０ａ  フレーム部
２２、２３  上下フレーム部材
２４  支持フレーム
３０  収納ボックス
５０  仕切り板
５２  コンデンシングユニット
５４  蒸発器
５６  ファン
５８  ファン
８１  第１のパネル
８２  第２のパネル
８３  第３のパネル
２４２、２４４  部材
３０２  トレイ部
３０４  ケース部
３０６  溝
８３２  ドレン
Ｓ  内部空間